(57)【要約】  【課題】  引き戸を、開口部の左右に於いて外観上露出しない下地枠にて納めることにある。  【解決手段】  開口部の左右各々に於いて、クロスが貼られ、外観上見えない下地枠自体を引き戸の納まり構造とする。【選択図】  図２
2007002417.tif 000002
【特許請求の範囲】
【請求項１】
引き戸１ａ、１ｂ又は１ａを開口部Ｄに納める構造に於いて、上記開口部Ｄの左右各々に於ける構造は、下地材２に保持されていると共にクロス５によって被覆された下地枠３より成り、上記引き戸１ａ、１ｂ又は１ａは、クロス５によって覆われていて外見に露出しない下地枠３によって開口部Ｄの左右に保持されて成り、而も上記開口部Ｄの上部に於いては、上部に設けられた吊りレール１１ａ、１１ｂ又は１１ａと、そのレール上を走る走行車輪１２ａ、１２ｂ又は１２ａによって吊下げ保持されて成る引き戸の納め構造。
【請求項２】
上記開口部Ｄを区画する左右の壁には幅木６が設けられ、この幅木６か、他方上記引き戸１ａ、１ｂ又は１ａの端面の何れかにはクッション材１０が設けられ、上記引き戸１ａ、１ｂ又は１ａの開閉時に、幅木６部分と引き戸１ａ、１ｂ又は１ａの端面の間にクッション材１０が介在して当接するようにされている請求項１記載の引き戸の納め構造。
【請求項３】
上記クロス５によって覆われた下地枠３は凹部２２が形成された防塞じゃくり構造と成され、その凹部２２の端面２３にクッション材１０が取り付けられ、他方引き戸１ａ、１ｂ又は１ａの開閉時引き戸の端面が上記クッション材１０に当接するようにされている請求項１記載の引き戸の納め構造。
【発明の詳細な説明】
【技術分野】
【０００１】
本発明は引き戸を開口部に納める構造に係わり、更に詳しくは引き違い引き戸、一本引き引き戸等の引き戸を建物の開口部に開閉可能に納める構造に関する。
【背景技術】
【０００２】
周知の通り、引き戸には引き違い戸（二本引き）、一本引き、三本引き、等多々あるが、これを建物の開口部に開閉可能に納めるには、枠が必要である。
そこで従来の枠をみてみると、従来の枠は壁の端面に取付けられていて、外見上露出し、開口部を輪郭づけている。
その一つの従来例を示すと特開２００５−６１１３１の段落番号００１０及び図１に示されている。
【０００３】
【特許文献１】特開２００５−６１１３１
【発明の開示】
【発明が解決しようとする課題】
【０００４】
上記従来技術によると開口部を枠が輪郭づけているのでシンプル感や、スッキリ感がない。
他方で近年の建築物、室内空間に対する要求はシンプルで、スッキリ感を求める傾向にある。従って、この要求に相応しなくなってきているのが現状である。
【０００５】
そこで本発明は近年の建築物や、室内空間に対するシンプルさの追及に見合う引き戸の納まり構造を提供するにある。併せて施工がし易く、より安価に施工出来る引き戸の納まり構造を提供するにある。
【課題を解決するための手段】
【０００６】
上記目的を達成する為の本願の請求項１の発明は、引き戸１ａ、１ｂ又は１ａを開口部Ｄに納める構造に於いて、上記開口部Ｄの左右各々に於ける構造は、下地材２に保持されていると共にクロス５によって被覆された下地枠３より成り、上記引き戸１ａ、１ｂ又は１ａは、クロス５によって覆われていて外見に露出しない下地枠３によって開口部Ｄの左右に保持されて成り、而も上記開口部Ｄの上部に於いては、上部に設けられた吊りレール１１ａ、１１ｂ又は１１ａと、そのレール上を走る走行車輪１２ａ、１２ｂ又は１２ａによって吊下げ保持されて成る引き戸の納め構造である。
【０００７】
そして請求項２の発明は、上記開口部Ｄを区画する左右の壁には幅木６が設けられ、他方上記引き戸１ａ、１ｂ又は１ａの端面にはクッション材１０が設けられ、上記引き戸１ａ、１ｂ又は１ａの開閉時に、幅木６部分にクッション材１０が当接するようにされている請求項１記載の引き戸の納め構造である。
【０００８】
そして請求項３の発明は、上記クロス５によって覆われた下地枠３は凹部２２が形成された防塞じゃくり構造と成され、その凹部２２の端面２３にクッション材１０が取り付けられ、他方引き戸１ａ、１ｂ又は１ａの開閉時引き戸の端面が上記クッション材１０に当接するようにされている請求項１記載の引き戸の納め構造である。
【発明の効果】
【０００９】
以上引き戸は天井から吊下げられた態様で、開口部の左右の壁の端面間に納められている。この場合、左右の壁の端部には外部に露出した引き戸の為の枠がない。而も上述したように引き戸の上部の吊下げレールも観にくい。従って、引き戸は壁に区画された開口部に枠なしで納められているが如き観を呈し、シンプルで、室内をすっきりさせる。加えて左右に於いては、クロスの外側に枠を取付けることがないので納まり構造の施工作業が簡単となり施工コストも安価にできる。
【発明を実施するための最良の形態】
【００１０】
次に本発明の実施例を詳細に説明する。先ず図１〜図４に従い引き違い（二本引き）の引き戸の納まり構造について説明する。
図１は引き戸が設けている建物の一空間を示したもので、Ａは床、Ｂは壁、Ｃは天井、Ｄは引き戸が納められる開口部を示している。
上記開口部Ｄは、図２、図３、図４に示すように左側Ｌの壁Ｂと右壁Ｒの壁Ｂとの間及び天井Ｃ並びに床面Ａによって区画されるものであり、ここに引き違いの引き戸１ａ、１ｂが納められるものであるが、本発明の納まり構造は次のようにしたものである。
【００１１】
即ち、先ず図２に於いてこれを説明すると、左側Ｌの部分に於いて、下地材２に略Ｌ字状の下地枠３が取り付けられ、プラスターボード４を貼った後に上記プラスターボード４のみならず下地枠３の全面にクロス５が貼られる。
そして６は幅木を示している。従って上記Ｌ字状の下地枠３の突出端面７、境８、引き込み端面９の全てがクロス貼りされていることにより引き戸１ａ、１ｂの為の納まり枠は一切外観上認めることができない構造となる。
右側の壁Ｒに於ける構造も同じであり、同一部分は同一の符号を付して示してある。
この例は、引き違いの引き戸１ａ、１ｂの納まり構造なので、当然ながら左側Ｌの突出端面７に対しては、右側Ｒの方は引き込み端面９が対向し、左側Ｌの引き込み端面９に対しては、右側Ｒの方は突出端面７が対向する。
【００１２】
そして、引き戸の場合、一般に引き戸の開閉時、引き戸が壁に当ってしまうことによる壁の保護や、壁に当ることを前提にすると施工上壁の垂直度の精度が必要であったり、壁に当った時の防音や、壁と引き戸の間での指はさみ防止が必要となる。
ところで、この実施例の場合、クッション１０を引き戸１ａ、１ｂの端面に設けて壁の幅木６部分に当るようにしている。勿論クッション１０を幅木６側に設けて、引き戸１ａ、１ｂの端面に当ててもよい。こうすることによって壁の保護や、防音、指はさみが防止できる上に、幅木６部分と引き戸１ａ、１ｂの端面の間にクッション１０が介在し、引き戸１ａ、１ｂの端面と、幅木６より引っ込んだ壁の端面との間の距離が比較的大なので、引き戸の端面の垂直度と比較した壁の垂直度が目立たないから、壁の垂直度が厳密に要求されず、施工が容易となる。
【００１３】
次いで図３に従い天井Ｃ部分の納まり構造を説明する。
この発明の引き戸１ａ、１ｂは天井に吊下げられて開閉されるもので、天井材１３を支持する下地材１４に吊りレール１１ａ、１１ｂを埋込態様で設け、引き戸１ａ、１ｂの走行車輪１２ａ、１２ｂ各々を上記レール１１ａ、１１ｂ上を吊下げ態様にて走らせるようにするものである。この場合、天井材１３にクロス１５が貼られ、而もレール１１ａ、１１ｂが天井材１３より上方に位置し、引き戸１ａ、１ｂの上端が天井材１３と略同じ高さレベルに位置しているので、人が室内に立って引き戸１ａ、１ｂの各々を観た時、引き戸１ａ、１ｂの吊りレール１１ａ、１１ｂをほとんど認めることができない。つまり上枠なしの観を呈すると共に、引き戸上部からの明かり漏れも完全に防止できる。
【００１４】
そして、引き戸１ａ、１ｂが吊下げられているので図４に示すように引き戸１ａね１ｂの下端は床Ａから僅かに浮き上っている。
そして、引き戸１ａと１ｂが重なる位置に於いて、引き戸の振れ止め１６ａ、１６ｂが床Ａに設けられ、その振れ止め１６ａ、１６ｂ各々が引き戸１ａと１ｂ各々の溝１７ａ、１７ｂ内に臨んでいる。
【００１５】
以上この実施形態の引き違い戸１ａ、１ｂは天井Ｃから吊下げられた態様で、開口部Ｄの左右Ｌ、Ｒの壁の端面間に納められている。この場合、左右Ｌ、Ｒの壁の端部には外部に露出した引き戸の為の枠がない。而も上述したように引き戸１ａ、１ｂの上部の吊下げレール１１ａ、１１ｂも観にくい。従って、引き戸１ａ、１ｂは壁Ｂに区画された開口部Ｄに枠なしで納められているが如き観を呈し、シンプルで、室内をすっきりさせる。加えて左右に於いては、クロスの外側に枠を取付けることがないので納まり構造の施工作業が簡単となり施工コストも安価にできる。そして、枠がない如き観を呈し、引き戸１ａ、１ｂの開閉時クッション１０が幅木に当るので、壁の損傷防止、防音、指はさみの安全の確保ができ、上述したように壁の垂直度が施工誤差を吸収できる。
【００１６】
次に本発明の第二の実施例を図５に従い説明する。この実施例は一本引きの引き戸の納まり構造を示したもので、図１〜図４に示した第一の実施例と同一の構造部分は同一の符号を付して説明を省略し、この実施例特有の点を説明する。
即ち一本引きの引き戸の為に、何れか一方、この例では左側Ｌは実施例１と同一であり、右側Ｒには、一本引き引き戸１ａを開いた時の収納スペース１８が形成されている。従って、収納スペース１８を区画する為に、壁１９が半分程の厚さの壁として区画され、収納スペース１８の突き当たりに端面２０が形成される。この場合でも壁１９の周りと端面２０にはクロス２１が貼られ、一本引きの引き戸１ａを納める為の枠が外部に露出していない。
この他、三本引きの引き戸にも適用でき、同じように開口部Ｄの左右には露出した枠が取付けられない。
【００１７】
図６に示した第３の実施例は、クロス５によって被覆される下地枠３を一方ｎと他方ｍに分割した例を示したものである。
この例の場合も開口部Ｄを区画する左右には、露出した縦枠の如きものは生じない。
このクロス６で覆われた下地枠３自体が引き戸１ｂの納まり構造となる。そしてこの例の場合、施工状況、作業等に応じ壁厚が若干予定通りの施工にならなかった場合、一方、他方に二分割ｎ、ｍした下地枠３間の互いの隙間Ｓを調節して現場で壁厚に合わせた下地枠３とすることができる。勿論上記隙間Ｓを調節し終った後はこの二分割ｎ、ｍした下地枠３は各々下地材２に対し任意の止め手段Ｋで固定される。このように分割ｎ、ｍして壁厚に見合った下地枠３として、分割ラインが生じても、この下地枠３の表面にはクロス５が貼られるので、その分割ラインは目にとまらないものである。
図７の第４の実施形態は図６の実施形態と略同じで、下地枠３の一方、他方ｍ、ｎの分割の仕方を変えた例であり、先の実施例と同一に使用ができる。
【００１８】
次に図８に従い第五の実施例を説明する。
この実施例は、引き違いの引き戸１ａ、１ｂの納まり構造であるが、クロス５によって覆われる下地枠３を凹状とし、凹部２２を形成し、クッション１０を凹部２２内の端面２３側に設けたもので、いわゆる防塞じゃくり構造としたものである。
この実施例でも左右Ｌ、Ｒの下地枠３はクロス５に覆われ、外観上露出する枠の観を呈さない。上記凹部２２内には、幅木６が貼られないので、クッション１０が端面２３上のクロス５上に設けられていて、引き戸１ａ、１ｂの当りによるクロス５の損傷を防止する。
この防塞じゃくり構造の納まり構造の場合、実施例１と同様に引き戸１ａ、１ｂは吊下げられている。
【００１９】
図９に示す第六の実施例は、一本引きの引き戸の納まり構造を示し、且ついわゆる防塞じゃくり構造としたものであり、実施例２及び実施例５と同一の部分は同一の符号を付して説明を省略する。
【００２０】
以上までは開口部の左右に於いて外観に枠が露出しない引き戸の納まり構造を示した。ところで、戸の納まり構造には大別して引き戸の納まり構造と開き戸の納まり構造がある。その２つの納まり構造は、機能が互いに異なるので、各々異なる。ところが、近年建物空間内をシンプルに見せる為に複数の戸に対して１つの納まり構造を適用する場合もある。次に示す参考例は、開き戸にも、引き戸にも適用でき、而も壁の厚さを越えて出っ張ったケーシング等のないシンプルな納まり構造である。これを参考に示す。ここの参考例では引き戸に適用したものを示す。
即ち、図１０は一本引きの引き戸用にした例で、戸当り４１を有する戸当り支持部材３６の位置を定める。そして、下地枠３３を取付ける。つまり戸当り保持部材３６の両サイドの溝３７各々に、下地枠３３の嵌合端３９，４０を差し込むことによって戸当り保持部材３６を保持する。その後に、プラスターボード３４を貼った後に、上記の下地枠３３を含めてクロス３５を貼る。上記に於いて戸当り保持部材３６は、その溝３７、３８を深く形成してあるので、それらの溝３７、３８の嵌合端３９、４０に対する嵌合態様を調節して保持部材３６全体の壁厚方向の位置を調節できるようになっている。
そして、保持部材３６と下地材３２の間に止め手段４２を固定して止める。図１１の参考例の場合は、引き違いの引き戸の納まり構造の例で且つ役物としての幅木４３を取付けた例である。
これらの参考例に示すように、壁厚内に納まる戸当り支持部材３６を用いているので、全体が、シンプル感を呈する。尚、壁厚の厚さ方向の位置が使っている場合には、逆に言えば壁厚の厚さ方向の位置が調節不要の場合には、図１２に例示する参考例を用いることができる。
【図面の簡単な説明】
【００２１】
【図１】本発明の第一の実施例の引き戸の納まり構造が設けられた室内空間の一例を示す斜視図である。
【図２】図１の２−２線に沿う断面図である。
【図３】図１の３−３線の沿う断面図である。
【図４】図１の４−４線に沿う断面図である。
【図５】本発明の第二の実施例を示す図２と同様の断面図である。
【図６】本発明の第三の実施例を示す断面図である。
【図７】本発明の第四の実施例を示す断面図である。
【図８】本発明の第五の実施例を示す図２と同様の断面図である。
【図９】本発明の第六の実施例を示す図２と同様の断面図である。
【図１０】開き戸に適用した第一の参考例を示す断面図である。
【図１１】開き戸に適用した第二の参考例を示す断面図である。
【図１２】開き戸に適用した第三の参考例を示す断面図である。
【符号の説明】
【００２２】
Ａ      床
Ｂ      壁
Ｃ      天井
Ｄ      開口部
１Ａ、１Ｂ    引き戸
２      下地材
３      下地枠
４      プラスターボード
５      クロス
６      幅木
７      突出端面
８      境
９      引き込み端面
１０    クッション
１１ａ、１１ｂ    吊りレール
１２ａ、１２ｂ    走行車輪
１３    天井材
１４    下地
１５    天井のクロス
１６ａ、１６ｂ    引き戸の振れ止め
１７ａ、１７ｂ    引き戸下端の溝
１８    引き戸の収納スペース
１９    収納スペースを区画する壁部分
２０    収納スペースを区画する端面
２１    クロス
ｎ      下地枠の一方
ｍ      下地枠の他方
Ｋ      止め材
Ｓ      隙間
２２    凹部
２３    端面
【図１】
2007002417.tif 000003
【図２】
2007002417.tif 000004
【図３】
2007002417.tif 000005
【図４】
2007002417.tif 000006
【図５】
2007002417.tif 000007
【図６】
2007002417.tif 000008
【図７】
2007002417.tif 000009
【図８】
2007002417.tif 000010
【図９】
2007002417.tif 000011
【図１０】
2007002417.tif 000012
【図１１】
2007002417.tif 000013
【図１２】
2007002417.tif 000014